(57)【特許請求の範囲】
【請求項１】
可とう性の溶接可能な材料から成る側縁折り込みひだ付き袋であって、閉じられた底端部と、内側の再閉鎖装置を備えた頭端部とを有し、その際袋前壁及び袋後壁を形成する両方の袋壁の間に折り込まれた両方の側縁折り込みひだが底端部から頭端部に向かって延びていて、袋壁の上縁の下側に間隔をおいて終わっており、これによって側縁折り込みひだのない袋壁の頭部範囲を形成しており、この頭部範囲内に両方の袋壁の間の再閉鎖装置が形成されており、側縁折り込みひだ（７）の上端部（７ａ）がそれ自体の溶接によって閉鎖されており、再閉鎖装置（９）の下側で袋の内室内に自由に突入している形式のものにおいて、側縁折り込みひだ（７）の上端部（７ａ）の上方範囲（１７）が各側縁折り込みひだ（７）の両方の半部（１３，１４）の一方（１３）上に折り返されていて、上端部（７ａ）の溶接がそれ自体の溶接と、折り返された上方範囲（１７）とこれに接している側縁折り込みひだの半部（１３）との溶接とによって形成されていることを特徴とする、可とう性の溶接可能な材料から成る側縁折り込みひだ付き袋。
【請求項２】
袋が複合材料から成っており、複合材料がその内面に、熱可塑性プラスチックから成る溶接を可能にする層を支持していることを特徴とする、請求項１記載の側縁折り込みひだ付き袋。
【請求項３】
側縁折り込みひだ（７）の上方範囲（１７）が、側縁折り込みひだ半部（１３）から出て、底端部（１）に向かって斜めに延びている折り線（１９）に沿って折り返されていることを特徴とする、請求項１又は２記載の側縁折り込みひだ付き袋。
【請求項４】
折り返された上方範囲（１７）が直角三角形の形状を有していることを特徴とする、請求項１から３までのいずれか１項記載の側縁折り込みひだ付き袋。
【請求項５】
再閉鎖装置（９）が、袋幅にわたって延びていて互いに閉鎖係合させることのできる２つの閉鎖バンド（１０）により形成されていて、これらの閉鎖バンドの一方は袋前壁（４）に、かつ他方は袋後壁（５）に固定されていることを特徴とする、請求項１から４までのいずれか１項記載の側縁折り込みひだ付き袋。
【請求項６】
閉鎖バンド（１０）が、溝とキーの形式で互いに閉鎖係合させることのできる錠止エレメント（１１）を有する押し閉鎖バンドとして構成されていることを特徴とする、請求項５記載の側縁折り込みひだ付き袋。
【請求項７】
閉鎖バンド（１０）がマジックテープ状閉鎖バンドとして構成されていることを特徴とする、請求項５記載の側縁折り込みひだ付き袋。
【請求項８】
閉鎖バンド（１０）がスライドファスナあるいはジッパとして構成されていることを特徴とする、請求項５記載の側縁折り込みひだ付き袋。
【請求項９】
再閉鎖装置（９）が、袋幅にわたって延びていて、袋前壁（４）及び又は袋後壁（５）の内面に塗布された持続的に接着性の接着物質条片により形成されていることを特徴とする、請求項１から４までのいずれか１項記載の側縁折り込みひだ付き袋。
【発明の詳細な説明】
【０００１】
【発明の属する技術分野】
本発明は、可とう性の溶接可能な材料から成る側縁折り込みひだ付き袋であって、閉じられた底端部と、内側の再閉鎖装置を備えた頭端部とを有し、その際袋前壁及び袋後壁を形成する両方の袋壁の間に折り込まれた両方の側縁折り込みひだが底端部から頭端部に向かって延びていて、袋壁の上縁の下側に間隔をおいて終わっており、これによって側縁折り込みひだのない袋壁の頭部範囲を形成しており、この頭部範囲内に両方の袋壁の間の再閉鎖装置が形成されており、側縁折り込みひだの上端部がそれ自体の溶接によって閉鎖されており、再閉鎖装置の下側で袋の内室内に自由に突入している形式のものに関する。
【０００２】
【従来の技術】
この形式の側縁折り込みひだ付き袋は種々の塊状の、粒状のあるいは粉末状の充てん物を梱包するために使用され、充てん物は、充てん作業により袋の頭端部の外縁範囲に取り付けられた袋端部閉鎖部、例えば溶接継ぎ目を取り除いた後に、普通は所要量ずつ取り出される。この場合例えば押し条片式の閉鎖部の形の再閉鎖装置は、使用者が各充てん物取り出しの後に袋を再び閉鎖すること、若しくは充てん物取り出しのために袋を改めて開くことを可能にする。
【０００３】
この場合普通は、袋の再閉鎖を香りを逃がさないように行って、充てん物の品質を維持することが望まれている。この理由から、側縁折り込みひだ自体の上端部のために、緊密な閉鎖部を設けることが必要であり、したがってここで述べた形式の公知の側縁折り込みひだ付き袋においては、側縁折り込みひだの上端部は袋製作の際に一緒に閉鎖される。
【０００４】
このことは最初に述べた形式のある公知の側縁折り込みひだ付き袋においては次のことによって行われる。すなわち側縁折り込みひだの上端部が再閉鎖装置の下側で、別個に溶接されたシールバンドにより閉鎖され、このシールバンドが同時にその都度の側縁折り込みひだの上端部を両方の袋壁の一方に溶接の際に固定するようにするのである。このような溶接結合は袋材料及びシールバンドの材料により無造作に実施することができる。それはこれらの材料は一般に、少なくともそれらの互いに結合すべき面において互いに良好に溶接可能な熱可塑性のプラスチック材料から成っているからである。しかしながら別個のシールバンドを使用することは、材料経費を増大させ、ここで述べている側縁折り込みひだ付き袋のような大量生産品の生産費に不利に影響する。更に、シールバンドが側縁折り込みひだの上端部を溶接結合部の製作の際に当該の袋壁に固定することは、袋の充てん開口を狭めることを意味し、これは、袋を機械的に充てんする場合の充てん速度に関しても、また使用者が袋を完全に空にすることに関しても、不利に作用する。
【０００５】
【発明が解決しようとする課題】
本発明の根底をなす課題は、最初に述べた形式の側縁折り込みひだ付き袋において、簡単な形式で袋製作の際に、材料費が増大することを回避して、側縁折り込みひだの上端部の閉鎖部が形成されており、同時にこの閉鎖部が、袋の充てん特性及び空にする際の特性に何らの不利な影響を及ぼさないようにすることである。
【０００６】
【課題を解決するための手段】
この課題は本発明によれば、側縁折り込みひだの上端部の上方範囲が各側縁折り込みひだの両方の半部の一方上に折り返されていて、上端部の溶接がそれ自体の溶接と、折り返された上方範囲とこれに接している側縁折り込みひだの半部との溶接とによって形成されているようにすることによって、解決される。
【０００７】
本発明により袋製作の際に簡単に実施することができる、側縁折り込みひだの上端部のそれ自体の溶接によって、公知のシールバンドがもたらすような袋製作の際の材料費の増大が回避されるとともに、閉鎖された側縁折り込みひだの上端部が再閉鎖装置の下側で袋の内室内に自由に突入していることによって、同時に使用者のための袋の取り出し開口である袋の充てん開口自体が不都合に狭められることが回避されている。これにより充てん作業の際に袋の一様な迅速な充てんが可能である。それは、充てん物は、その上端部が自由に突出している側縁折り込みひだの両側で袋内に流れ込むことができるからである。これと同時に、充てんの際及び充てん物レベルが上昇する際に、側縁折り込みひだが外方に向かう偏平拡開によって最適に開かれる。使用者側において、自由に突出している側縁折り込みひだの上端部自体は有利であると分かった。それはこれによって開口範囲内で袋内部に、充てん物を空にする際に残存量を袋内にとどめる角が回避されるからである。
【０００８】
【発明の実施の形態】
本発明において有利には、側縁折り込みひだ端部の上方範囲は、側縁折り込みひだ半部の外縁から出て、底端部に向かって斜めに延びている折り線に沿って折り返されていて、折り返された上方範囲が、袋内部に斜めに向いた斜辺を有する直角三角形の形状を有しているようにすることができる。
【０００９】
再閉鎖装置を袋の側縁折り込みひだのない頭部範囲内に配置することは、例えば袋の製作プロセスにおける溶接過程によって再閉鎖装置を簡単に取り付けることを可能にする。したがって再閉鎖装置は例えば熱可塑性プラスチックから成る押し閉鎖バンドの形で、偏平袋において普通の簡単な形式で袋の内面に取り付けることができる。このような、溝とキーの形式で互いに閉鎖係合させることのできる錠止エレメントを有する押し閉鎖バンドは自体公知である。しかしながら袋の本発明による構成の範囲内で、再閉鎖装置はマジックテープ状閉鎖バンドとして、あるいはスライドファスナあるいはジッパとして構成されている閉鎖バンドにより形成することもできる。更に本発明の範囲内で、袋幅にわたって延びていて、袋前壁及び又は袋後壁の内面に塗布された持続的に接着性の接着物質若しくは付着接着剤の条片により形成されている再閉鎖装置を選ぶことも、同様に可能である。再閉鎖装置の構成をこのように自由に選ぶことができるのは、本発明による袋においては、再閉鎖装置が、側縁折り込みひだの上端部の閉鎖とは全く無関係に、袋の、側縁折り込みひだのない頭部範囲内に配置されているからである。
【００１０】
【実施例】
以下においては図面に示した本発明の１実施例により、本発明の構成を具体的に説明する。
【００１１】
図示の側縁折り込みひだ付き袋は、熱可塑性のプラスチック、特にポリエチレンあるいはポリプロピレンのようなポリオレフィンから成るフォイル材料のプラスチック袋として、あるいは複合材料から成る複合袋として形成することができ、複合材料は少なくともその内面に、熱可塑性プラスチックから成る溶接を可能にする層を支持しているのに対し、複合材料の外方に向かって接続している単数又は複数の層は中間層として、袋の香りを逃さない金属フォイル、例えばアルミニウムフォイルを有することができる。
【００１２】
詳細に述べると、図示の袋は閉じられた底端部１と頭端部２とを有しており、頭端部は袋が空の状態では図２に示すように上方が開いており、充てん作業で袋が充てんされた後に初めて、図１の充てんされた袋において示されているように、袋壁４及び５の上縁３に沿って溶接継ぎ目６によって閉鎖される。
【００１３】
袋壁４は袋前壁を形成するのに対し、袋壁５は袋後壁を形成する。これらの袋壁の間には、両側で側縁折り込みひだ７が折り込まれており、これらの側縁折り込みひだは底端部１から頭端部２に向かって延びていて、袋の上縁３若しくは溶接継ぎ目６の下側に間隔をおいて終わっている。これにより、側縁折り込みひだ７の上端部７ａと袋壁４及び５の上縁３との間には側縁折り込みひだのない袋の頭部範囲８が形成されている。
【００１４】
頭部範囲８内においては、再閉鎖装置９が両方の袋壁４，５の間に形成されており、この再閉鎖装置は図示の例においては、袋幅にわたって延びている２つの閉鎖バンド１０を有しており、その一方は袋前壁４に、かつその他方は袋後壁５に溶接若しくは熱シールによって固定されている。閉鎖バンド１０は、例えば溝とキーとの形式で互いに閉鎖係合させることのできる錠止エレメント１１を備えた同形状の押し閉鎖バンドとして構成されている。再閉鎖装置９は使用者により、溶接継ぎ目６を切り離した後に、利用される。
【００１５】
側縁折り込みひだ７はそれぞれその中央の折り縁１２の両側に２つの折り込みひだ半部１３及び１４を有しており、これらの折り込みひだ半部は側方の溶接継ぎ目１５，１６に沿って袋前壁４若しくは袋後壁５と結合されている。頭部範囲８において、溶接継ぎ目１５，１６はそれぞれ両側から１つの溶接継ぎ目２０に続いている。袋が図２に示すように空の状態にある場合、各側縁折り込みひだ７の両方の折り込みひだ半部１３，１４はわずかにＶ形に接触しているのに対し、これらの折り込みひだ半部は袋が図１に示すように充てんされた状態にある場合には、平らに拡開されて、外方に向かって開かれており、これにより充てんされた袋はその充てん範囲において平行六面体の形状にされている。
【００１６】
側縁折り込みひだ７の上端部７ａをそれ自体の溶接によって、換言すれば両方の折り込みひだ半部１３，１４により形成される材料層相互の溶接によって、端部閉鎖するために、側縁折り込みひだ７の上端部７ａの上方範囲１７は、両方の折り込みひだ半部１３，１４の一方、図示の例では折り込みひだ半部１３、上に折り返されている。折り返された端部範囲１７の両方の層は、折り込みひだ半部１３，１４の上方の切断縁に沿って延びている溶接継ぎ目１８によって互いに、かつ端部範囲１７に接している折り込みひだ半部１３の内面と溶接されている。この形式でそれ自体の溶接によって端部側を閉鎖されている側縁折り込みひだ７はその折り返された上方範囲１７を再閉鎖装置９の下側で自由に袋の内室内に突出させている。
【００１７】
図示のように、側縁折り込みひだ７の上方の端部範囲１７は折り線１９に沿って折り返されており、この折り線は、側方の溶接継ぎ目１５により規定された折り込みひだ半部１３の外縁から出て、底端部１に向かって斜めに延びている。この場合、各側縁折り込みひだ７の折り返された端部範囲１７は直角三角形の形状を有しており、この直角三角形の斜辺は折り線１９の傾斜角度に相応して程度の差こそあれ斜めに底端部１に向いている。この構成は、側縁折り込みひだ７の上端部７ａの端側の緊密な閉鎖を常に維持して、充てん作業における袋の充てん並びに使用者による袋を残りなしに空にすることを容易にする。
【００１８】
閉鎖されている底端部１は、袋の使用目的に応じて任意の構成を有することができ、例えば図１に示した平らな端部遮断溶接部２１を有することができる。
【図面の簡単な説明】
【図１】本発明による充てんされた側縁折り込みひだ付き袋の斜視図を示す。
【図２】本発明による空状態の側縁折り込みひだ付き袋の上方範囲の、袋前壁を部分的に破った正面図を示す。
【符号の説明】
１  底端部、  ２  頭端部、  ３  上縁、  ４  袋壁、  ５  袋壁、  ６  溶接継ぎ目、  ７  側縁折り込みひだ、  ７ａ  上端部、  ８  頭部範囲、  ９  再閉鎖装置、  １０  閉鎖バンド、  １１  錠止エレメント、  １２  折り縁、
１３  折り込みひだ半部、  １４  折り込みひだ半部、  １５  溶接継ぎ目、
１６  溶接継ぎ目、  １７  上方範囲、  １８  溶接継ぎ目、  １９  折り線、
２０  溶接継ぎ目、  ２１  端部遮断溶接部
【図１】
0003602475.tif 000002
【図２】
0003602475.tif 000003